(57)【要約】【課題】より取扱に優れた熱線センサ付自動スイッチを提供する。【解決手段】熱線センサ部１と、設定操作部と、入力判別部と、熱線センサ部１と入力判別部とに基づいて照明負荷の点灯／消灯を制御する制御部と、制御部からの制御信号に基づいて照明負荷を入切する開閉器と、制御部と開閉器とを収納する器体１１とを備えた熱線センサ付自動スイッチ１０であり、操作スイッチ２ａは、器体１１の表面側に設けられたプレート９の枠内に配置され、手動にて押される手動操作部２ａ１を備え、熱線センサ部１は、手動操作部２ａ１およびプレート９よりも突出させる突出部位１１ｋｂを備え、手動操作部２ａ１は、手動操作部２ａ１の一表面２ａｂとプレート９の表面９ａｂとを面一として設定操作部を覆っており、取手部２ａ２を備え、取手部２ａ２は、突出部位１１ｋｂに重ねている。【選択図】図１
2014235980.tif 000002
【特許請求の範囲】
【請求項１】
人体から発せられる熱線を検出する熱線センサ部と、該熱線センサ部の検出感度を設定する設定操作部と、手動にて操作された操作スイッチのオン／オフ操作を判別する入力判別部と、前記熱線センサ部からのセンサ信号と前記入力判別部からの判別信号とに基づいて照明負荷の点灯／消灯を制御する制御信号を出力する制御部と、該制御部からの前記制御信号に基づいて前記照明負荷への電力の供給を入切する開閉器と、少なくとも前記制御部と前記開閉器とを内部に収納する器体とを備えた熱線センサ付自動スイッチであって、
前記操作スイッチは、正面視において、前記器体の表面側に設けられた枠状のプレートの枠内に配置され、手動にて押される手動操作部を備えており、
前記熱線センサ部は、前記手動操作部の一表面および前記プレートの表面よりも突出し所定の角度の前記熱線を入射させる突出部位を備えており、
前記手動操作部は、前記手動操作部の一表面と前記プレートの表面とを面一として前記器体の表面に露出する前記設定操作部を覆っており、前記器体側から前記手動操作部を外す手掛かりとなる取手部を備え、
該取手部は、前記手動操作部と隣接する前記突出部位側を前記手動操作部の一表面から突出させ、前記突出部位に重ねていることを特徴とする熱線センサ付自動スイッチ。
【発明の詳細な説明】
【技術分野】
【０００１】
本発明は、照明負荷の点灯／消灯を制御する熱線センサ付自動スイッチに関する。
【背景技術】
【０００２】
従来から、照明負荷の点灯／消灯を制御する熱線センサ付自動スイッチが提供されている。
【０００３】
この種の熱線センサ付自動スイッチとして、たとえば、熱線センサが人を検知すると、動作保持時間の間、照明負荷を点灯させるものが知られている（特許文献１を参照）。
【０００４】
図１６に示す特許文献１の熱線センサ付自動スイッチ１０１は、操作ハンドル１０３への押操作によって、熱線センサ付自動スイッチ１０１の動作モードを切り替えることができる。なお、熱線センサ付自動スイッチ１０１は、動作モードとして、熱線センサにより照明負荷の点灯を制御するモードを有している。熱線センサ付自動スイッチ１０１は、動作モードとして、熱線センサによる熱線の検知の有無に関わらず照明負荷の状態を継続するモードを有している。熱線センサ付自動スイッチ１０１は、動作モードとして、動作保持時間が経過するまで照明負荷の状態を保持するモードを有している。
【０００５】
また、熱線センサ付自動スイッチ１０１は、操作ハンドル１０３を覆うハンドルカバー１０４を備えている。熱線センサ付自動スイッチ１０１では、操作ハンドル１０３を覆うように、操作ハンドル１０３の前面に回動自在にハンドルカバー１０４を枢着している。さらに、熱線センサ付自動スイッチ１０１は、照明負荷の点灯時間を設定する動作保持時間設定部１６２（図１７を参照）や明るさセンサの明るさ検知レベルを設定する明るさセンサ調整部１６３を備えている。熱線センサ付自動スイッチ１０１は、ハンドルカバー１０４により、器体１０２側に設けられた動作保持時間設定部１６２や明るさセンサ調整部１６３を覆っている。
【先行技術文献】
【特許文献】
【０００６】
【特許文献１】特開２００８−１０９５１１号公報
【発明の概要】
【発明が解決しようとする課題】
【０００７】
ところで、熱線センサ付自動スイッチ１０１は、ハンドルカバー１０４を開けて動作保持時間設定部１６２などの操作を行う。そのため、熱線センサ付自動スイッチ１０１では、歩いている人などがハンドルカバー１０４を引き掛かけて、意図せずハンドルカバー１０４を開けてしまう虞がある。より取扱に優れた熱線センサ付自動スイッチが求められている現在においては、上述の熱線センサ付自動スイッチの構成だけでは十分ではなく、更なる改良が求められている。
【０００８】
本発明は上記事由に鑑みて為されたものであり、その目的は、より取扱に優れた熱線センサ付自動スイッチを提供することにある。
【課題を解決するための手段】
【０００９】
本発明の熱線センサ付自動スイッチは、人体から発せられる熱線を検出する熱線センサ部と、当該熱線センサ部の検出感度を設定する設定操作部と、手動にて操作された操作スイッチのオン／オフ操作を判別する入力判別部と、上記熱線センサ部からのセンサ信号と上記入力判別部からの判別信号とに基づいて照明負荷の点灯／消灯を制御する制御信号を出力する制御部と、当該制御部からの上記制御信号に基づいて上記照明負荷への電力の供給を入切する開閉器と、少なくとも上記制御部と上記開閉器とを内部に収納する器体とを備えた熱線センサ付自動スイッチであって、上記操作スイッチは、正面視において、上記器体の表面側に設けられた枠状のプレートの枠内に配置され、手動にて押される手動操作部を備えており、上記熱線センサ部は、上記手動操作部の一表面および上記プレートの表面よりも突出し所定の角度の上記熱線を入射させる突出部位を備えており、上記手動操作部は、上記手動操作部の一表面と上記プレートの表面とを面一として上記器体の表面に露出する上記設定操作部を覆っており、上記器体側から上記手動操作部を外す手掛かりとなる取手部を備え、当該取手部は、上記手動操作部と隣接する上記突出部位側を上記手動操作部の一表面から突出させ、上記突出部位に重ねていることを特徴とする。
【発明の効果】
【００１０】
本発明の熱線センサ付自動スイッチは、より取扱に優れた構成とすることが可能になるという効果がある。
【図面の簡単な説明】
【００１１】
【図１】図１は、本実施形態の熱線センサ付自動スイッチを示す外観斜視図である。
【図２】図２は、本実施形態の熱線センサ付自動スイッチを用いた熱線センサ付自動スイッチシステムのブロック図である。
【図３】図３は、本実施形態の熱線センサ付自動スイッチを説明する正面説明図である。
【図４】図４は、本実施形態の熱線センサ付自動スイッチの分解斜視図である。
【図５】図５は、本実施形態の熱線センサ付自動スイッチの要部を分解した斜視説明図である。
【図６】図６は、本実施形態の熱線センサ付自動スイッチの別の要部の正面図である。
【図７】図７は、図６の熱線センサ付自動スイッチのＡＡ断面図である。
【図８】図８は、図６の熱線センサ付自動スイッチのＢＢ断面図である。
【図９】図９は、図８の熱線センサ付自動スイッチの部分拡大図である。
【図１０】図１０は、図６の熱線センサ付自動スイッチのＣＣ断面図である。
【図１１】図１１は、図１０の熱線センサ付自動スイッチの部分拡大図である。
【図１２】図１２は、本実施形態の熱線センサ付自動スイッチの他の要部を示す正面図である。
【図１３】図１３は、本実施形態の熱線センサ付自動スイッチの更に別の要部を示す背面斜視図である。
【図１４】図１４は、本実施形態の熱線センサ付自動スイッチの更に他の要部を示す正面図である。
【図１５】図１５は、本実施形態の熱線センサ付自動スイッチの動作を説明する動作説明図である。
【図１６】図１６は、従来の熱線センサ付自動スイッチの外観斜視図である。
【図１７】図１７は、従来の熱線センサ付自動スイッチの操作部を示す図である。
【発明を実施するための形態】
【００１２】
以下、本実施形態の熱線センサ付自動スイッチ１０について、図１ないし図１４に基づいて説明する。また、本実施形態の熱線センサ付自動スイッチ１０と、熱線センサ付自動スイッチ１０を操作可能な操作子器２０とを備えた熱線センサ付自動スイッチシステム３０について、図２および図１５に基づいて説明する。なお、図中において、同じ部材に対しては、同じ番号を付して重複する説明を省略する。
【００１３】
本実施形態の熱線センサ付自動スイッチ１０は、図１および図２に示すように、人体から発せられる熱線を検出する熱線センサ部１と、熱線センサ部１の検出感度を設定する設定操作部７とを備えている。熱線センサ付自動スイッチ１０は、手動にて操作された操作スイッチ２ａ（以下、第１操作スイッチ２ａともいう）のオン／オフ操作を判別する入力判別部２入力判別部２（以下、第１入力判別部２ともいう）を備えている。熱線センサ付自動スイッチ１０は、熱線センサ部１からのセンサ信号と入力判別部２からの判別信号とに基づいて照明負荷Ｌの点灯／消灯を制御する制御信号を出力する制御部４を備えている。熱線センサ付自動スイッチ１０は、制御部４からの制御信号に基づいて照明負荷Ｌへの電力の供給を入切する開閉器５と、少なくとも制御部４と開閉器５とを内部に収納する器体１１とを備えている。
【００１４】
本実施形態の熱線センサ付自動スイッチ１０では、操作スイッチ２ａは、正面視において、器体１１の表面側に設けられた枠状のプレート９の枠内に配置され、手動にて押される手動操作部２ａ１を備えている。熱線センサ部１は、手動操作部２ａ１の一表面２ａｂおよびプレート９の表面９ａｂよりも突出し所定の角度の熱線を入射させる突出部位１１ｋｂを備えている。手動操作部２ａ１は、手動操作部２ａ１の一表面２ａｂとプレート９の表面９ａｂとを面一として器体１１の表面に露出する設定操作部７を覆っている（図５を参照）。手動操作部２ａ１は、器体１１側から手動操作部２ａ１を外す手掛かりとなる取手部２ａ２を備えている。取手部２ａ２は、手動操作部２ａ１と隣接する突出部位１１ｋｂ側を手動操作部２ａ１の一表面２ａｂから突出させ、突出部位１１ｋｂに重ねている。
【００１５】
これにより、本実施形態の熱線センサ付自動スイッチ１０は、より取扱に優れた構成とすることが可能となる。
【００１６】
すなわち、熱線センサ付自動スイッチ１０では、手動操作部２ａ１における蓋部２ｇの一表面２ａｂを、プレート９の表面９ａｂと面一することで、歩いている人などが手動操作部２ａ１を引き掛かってしまう不具合を減少させることが可能となる。また、本実施形態の熱線センサ付自動スイッチ１０は、蓋部２ｇを外すときの手掛かりとなる取手部２ａ２を、熱線センサ部１の突出部位１１ｋｂに重ねるように配置することで、使用者が比較的簡単に手動操作部２ａ１の蓋部２ｇを外すことが可能となる。
【００１７】
以下、本実施形態の熱線センサ付自動スイッチ１０を用いた熱線センサ付自動スイッチシステム３０全体について先に詳述する。
【００１８】
熱線センサ付自動スイッチシステム３０は、図２に示すように、本実施形態の熱線センサ付自動スイッチ１０と、操作子器２０とを有している。本実施形態の熱線センサ付自動スイッチ１０は、人体から発せられる熱線を検出する熱線センサ部１と、手動にて操作された第１操作スイッチ２ａのオン／オフ操作を判別する第１入力判別部２とを備えている。熱線センサ付自動スイッチ１０は、操作子器２０からの信号を受信する信号受信部３を好適に備えている。熱線センサ付自動スイッチ１０は、熱線センサ部１からのセンサ信号と第１入力判別部２からの判別信号と信号受信部３が受信した信号とに基づいて照明負荷Ｌの点灯／消灯を制御する制御信号を出力する制御部４を備えている。熱線センサ付自動スイッチ１０は、制御部４からの制御信号に基づいて照明負荷Ｌへの電力の供給を入切する開閉器５を備えている。熱線センサ付自動スイッチ１０では、第１操作スイッチ２ａのスイッチ操作ごとにモードが切り替わり、モード表示部６でモードを表示する（図３を参照）。
【００１９】
操作子器２０は、手動にて操作された第２操作スイッチ２２ａのオン／オフ操作を判別する第２入力判別部２２と、第２入力判別部２２からの操作信号に基づいて熱線センサ付自動スイッチ１０へ信号を送信する信号送信部２３とを備えている。
【００２０】
熱線センサ付自動スイッチ１０の制御部４は、熱線センサ部１からのセンサ信号に応じて照明負荷Ｌを点灯状態にさせ、所定の点灯保持時間の経過後に消灯状態となるように開閉器５を制御することができる（図１５の時刻ｔ１から時刻ｔ２を参照）。この場合、熱線センサ付自動スイッチ１０では、モード表示部６は、自動点灯消灯モードを表示している。また、本実施形態の熱線センサ付自動スイッチ１０では、制御部４は、照明負荷Ｌが点灯状態において、信号受信部３が操作子器２０から照明負荷Ｌを消灯させる信号を受信すると、点灯保持時間を短縮する。制御部４は、照明負荷Ｌが点灯状態において、信号受信部３が操作子器２０から照明負荷Ｌを消灯させる信号を受信すると、熱線センサ部１からのセンサ信号による照明負荷Ｌの点灯を禁止することができる（図１５の時刻ｔ４から時刻ｔ７を参照）。これにより、熱線センサ付自動スイッチシステム３０は、より省エネルギ化が可能な構成としている。
【００２１】
以下、本実施形態の熱線センサ付自動スイッチ１０のより具体的な構成について説明する。
【００２２】
本実施形態の熱線センサ付自動スイッチ１０は、建築物の壁面などの施工面（図示していない）に設置された取付枠１７（図４を参照）に取り付けられる。熱線センサ付自動スイッチ１０は、施工面側に埋込配設する器体１１を備えている。熱線センサ付自動スイッチ１０は、取付枠１７を介して、器体１１と反対側に設けられた枠状のプレート９を備えている。熱線センサ付自動スイッチ１０は、照明負荷Ｌの点灯と消灯とを制御可能な回路部１６を器体１１の内部に備えている（図４を参照）。回路部１６は、たとえば、各種の電子部品１６ａａを実装した第１の回路基板１６ａを備えている。第１の回路基板１６ａは、外形が矩形の平板状のプリント配線板などにより形成している。回路部１６は、第１の回路基板１６ａと、平板状の絶縁板１６ｂを介して、第２の回路基板１６ｃを備えている。第２の回路基板１６ｃは、第１の回路基板１６ａと同様に、各種の電子部品１６ａａを実装している。回路部１６は、第１の回路基板１６ａと第２の回路基板１６ｃとを図示していない電線などにより電気的に接続している。第２の回路基板１６ｃは、外形が矩形の平板状のプリント配線板などにより形成している。
【００２３】
熱線センサ付自動スイッチ１０は、人体から発せられる熱線を検出する熱線センサ部１を備えている。熱線センサ部１は、センサ素子１ａを備えている。センサ素子１ａは、人体から発せられる熱線として、赤外線エネルギを検出することにより人体の存在の有無を検出可能な赤外線センサを用いて構成することができる。赤外線センサは、焦電素子を用いることができる。熱線センサ付自動スイッチ１０は、熱線センサ部１の検出感度を設定可能な設定操作部７を備えている。
【００２４】
設定操作部７は、熱線センサ部１の検出感度を設定可能なものである。設定操作部７は、熱線センサ部１の検出感度を設定可能なものだけに限れない。設定操作部７は、自動点灯消灯モードにおける点灯保持時間を設定することができる操作部を備えていてもよい。なお、本実施形態の熱線センサ付自動スイッチ１０は、操作子器２０から照明負荷Ｌを消灯させる信号を信号受信部３が受信すると、熱線センサ部１からのセンサ信号による照明負荷Ｌの点灯を所定の期間の間、禁止するマスク期間Ｍを設けている（図１５を参照）。設定操作部７は、自動点灯消灯モードにおけるマスク期間Ｍを設定することができる操作部を備えていてもよい。すなわち、設定操作部７は、操作子器２０からの信号を受信して短縮する点灯保持時間の長さを適宜に調整することもできる。
【００２５】
設定操作部７は、設定操作部７の一部を器体１１の表面１１ｂｐに露出させている。熱線センサ付自動スイッチ１０は、手動にて操作される第１操作スイッチ２ａ（図１を参照）のオン／オフ操作を判別する第１入力判別部２を、回路部１６に形成している。熱線センサ付自動スイッチ１０は、操作子器２０からの信号を受信する信号受信部３を、回路部１６に形成している。
【００２６】
信号受信部３は、操作子器２０からの信号を受信可能なものである。信号受信部３は、操作子器２０からの信号を有線で受信するものを用いることができる。信号受信部３は、操作子器２０からの信号を有線で受信するものだけに限られず、各種波長の電波や可視光通信などを利用して無線で受信するものでもよい。
【００２７】
熱線センサ付自動スイッチ１０は、熱線センサ部１からのセンサ信号と第１入力判別部２からの判別信号と信号受信部３が受信した信号とに基づいて照明負荷Ｌの点灯／消灯を制御する制御信号を出力する制御部４を、回路部１６に形成している。制御部４は、マイクロコンピュータなどにより構成することができる。熱線センサ付自動スイッチ１０は、制御部４からの制御信号に基づいて照明負荷Ｌへの電力の供給を入切する開閉器５を回路部１６に形成している。開閉器５は、開閉素子５ａと開閉駆動部５ｂとを備えている。制御部４は、相補的な２個のサイリスタを逆並列に接続する双方向サイリスタのような開閉素子５ｂを、開閉駆動部５ｂを介してオンオフ可能に制御する。熱線センサ付自動スイッチ１０は、商用電源ＡＣを受けて直流定電圧を発生する直流安定化電源４ｃを回路部１６に形成している。熱線センサ付自動スイッチ１０は、商用電源ＡＣと照明負荷Ｌとの直列回路を電気的に接続可能に構成している（図２を参照）。
【００２８】
回路部１６は、たとえば、熱線センサ部１、第１入力判別部２、信号受信部３や制御部４を第１の回路基板１６ａに形成することができる。また、回路部１６は、たとえば、直流安定化電源４ｃや開閉器５を第２の回路基板１６ｃに形成することもできる。直流安定化電源４ｃは、熱線センサ付自動スイッチ１０の電源端子１１ｃ１，１１ｃ２を介して、商用電源ＡＣと電気的に接続している。開閉器５は、商用電源ＡＣを接続する電源端子１１ｃ１と、照明負荷Ｌを接続する負荷端子１１ｃ４との間に電気的に接続している。
【００２９】
熱線センサ付自動スイッチ１０では、熱線センサ部１からのセンサ信号と第１入力判別部２からの判別信号と信号受信部３が受信した操作子器２０からの信号とが、制御部４に入力される。制御部４では、熱線センサ部１からのセンサ信号である熱線センサ部１の出力がＡ／Ｄ変換されて入力される。制御部４は、第１入力判別部２の出力がＡ／Ｄ変換されて入力される。制御部４は、信号受信部３の出力がＡ／Ｄ変換されて入力される。制御部４は、熱線センサ部１からのセンサ信号に基づいて、予め設定された検知エリア内における人体の存否を検知し、開閉器５を制御する制御信号を出力することができる。
【００３０】
熱線センサ付自動スイッチ１０は、周囲の明るさを識別可能な明るさセンサ１ｓを好適に備えている。明るさセンサ１ｓは、たとえば、ＣｄＳやフォトダイオードなどの受光素子を用いて構成することができる。熱線センサ付自動スイッチ１０は、第１の回路基板１６ａに明るさセンサ１ｓの受光素子を実装している。制御部４は、明るさセンサ１ｓと電気的に接続している。明るさセンサ１ｓは、熱線センサ部１と一体的に構成してもよい。熱線センサ付自動スイッチ１０は、制御部４の動作モードを表示するモード表示部６を好適に備えている（図３を参照）。熱線センサ付自動スイッチ１０は、モード表示部６を構成する複数個（ここでは、３個）の発光ダイオード６ａを、第１の回路基板１６ａに実装している。制御部４は、モード表示部６の各発光ダイオード６ａそれぞれ電気的とに接続している。制御部４は、第１操作スイッチ２ａが操作される度に、モードを遷移させる。制御部４は、第１操作スイッチ２ａが操作される度に、遷移されたモードをモード表示部６に表示する。
【００３１】
制御部４は、自動点灯消灯モードにおいて、熱線センサ部１の検知エリアに人体が存在すると判断した場合、熱線センサ部１からのセンサ信号に応じて照明負荷Ｌを点灯状態にさせ所定の点灯保持時間の経過後に消灯状態にする。制御部４は、照明負荷Ｌが点灯する点灯保持時間を計時するためのタイマ部（図示していない）を内蔵している。制御部４は、点灯保持時間の計時中に熱線センサ部１からセンサ信号が再入力されると、センサ信号が再入力された時点から所定の点灯保持時間後に照明負荷Ｌを消灯状態にするように構成している。したがって、タイマ部は、センサ信号が再入力された時点から所定の点灯保持時間を計時できるようにリトリガブル・タイマを構成している。
【００３２】
制御部４は、制御部４の基本的な動作として、明るさセンサ１ｓの検出した明るさが予め設定された明るさの閾値よりも暗い状態で、熱線センサ部１に入射した熱線の変化に基づいて人体を検知すると、照明負荷Ｌを点灯させる。制御部４は、タイマ部が計時した所定の点灯保持時間の間、照明負荷Ｌの点灯状態を維持するように開閉器５を制御する。なお、熱線センサ付自動スイッチ１０は、制御部４により照明負荷Ｌへの供給電力を調節し、照明負荷Ｌを所望の光出力で点灯させることもできる。熱線センサ付自動スイッチ１０は、回路部１６を器体１１の内部に収納することにより、少なくとも制御部４と開閉器５とを器体１１の内部に収納している。
【００３３】
器体１１は、図４に示すように、ボディ体１１ａとカバー体１１ｂとを備えている。ボディ体１１ａとカバー体１１ｂとは、分離可能な構成としている。器体１１は、直方体状であって、有底角筒状のボディ体１１ａと、有底角筒状のカバー体１１ｂとで構成している。ボディ体１１ａとカバー体１１ｂとは、ボディ体１１ａとカバー体１１ｂとを嵌め合わせて内部が空洞な箱状体を構成している。ボディ体１１ａは、電気絶縁性の樹脂材料により形成している。ボディ体１１ａは、電気絶縁性の樹脂材料として、たとえば、ユリア樹脂などを用いて形成することができる。ボディ体１１ａは、たとえば、加熱溶融させた電気絶縁性の樹脂材料を金型内に射出注入し、冷却固化させる射出成形により一体成形品として形成することができる。カバー体１１ｂは、電気絶縁性の樹脂材料により形成している。カバー体１１ｂは、電気絶縁性の樹脂材料として、たとえば、ユリア樹脂などを用いて形成することができる。カバー体１１ｂは、たとえば、加熱溶融させた電気絶縁性の樹脂材料を金型内に射出注入し、冷却固化させる射出成形により一体成形品として形成することができる。
【００３４】
なお、熱線センサ付自動スイッチ１０は、器体１１の寸法を埋込型配線器具の１個のモジュールの３個分に相当する１連のモジュールの大きさとしている。器体１１は、正面視が長方形状の器体１１の短手方向の寸法を、埋込配線器具用の取付枠１７における窓孔１７ａａの短手方向の寸法より若干小さい大きさとしている。
【００３５】
ボディ体１１ａは、カバー体１１ｂ側と係合する係合突起部１１ａｃを備えている。係合突起部１１ａｃは、ボディ体１１ａの上下側（図４の紙面の上下側）それぞれの短手方向に沿って２個１組で設けている。ボディ体１１ａは、電源端子１１ｃ１，１１ｃ２、負荷端子１１ｃ３，１１ｃ４や子器接続端子１１ｃ５，１１ｃ６となる端子１１ｃを収納する。すなわち、熱線センサ付自動スイッチ１０は、電線（図示していない）が接続される端子１１ｃを備えている。端子１１ｃは、錠ばね１１ｃａと、錠ばね１１ｃａを収容する端子板１１ｃｂとを備えている。端子１１ｃは、電線が挿入されると、電線と電気的に接続し端子板１１ｃｂと錠ばね１１ｃａとで電線が固定できるように構成している。錠ばね１１ｃａは、たとえば、銅や銅合金などの金属材料により構成された板材の折り曲げ加工により形成することができる。同様に、端子板１１ｃｂは、たとえば、銅や銅合金などの金属材料により構成された板材の折り曲げ加工により形成することができる。すなわち、端子１１ｃは、絶縁被覆が剥がされた電線の芯線が挿入されることで、電線との電気的接続および機械的接続が行われる速結端子を構成している。
【００３６】
カバー体１１ｂは、カバー体１１ｂの上下側（図４の紙面の上下側）それぞれの短手方向に沿って、ボディ体１１ａ側に突出する一対の突出片１１ｂｃ、１１ｂｃを備えている。突出片１１ｂｃは、有底角筒状のカバー体１１ｂにおける筒状部位に対して弾性変形が可能な構成としている。カバー体１１ｂは、筒状部位と突出片１１ｂｃとを一体成形により形成することができる。突出片１１ｂｃは、外形がＣ字状となっており、筒状部位から突出して外部に露出する部位に係合孔１１ｂｆを形成している。カバー体１１ｂは、突出片１１ｂｃの係合孔１１ｂｆと、ボディ体１１ａの係合突起部１１ａｃとを係合可能に構成している。
【００３７】
カバー体１１ｂは、ボディ体１１ａの係合突起部１１ａｃと、係合突起部１１ａｃに対応する係合孔１１ｂｆとをそれぞれ係合させることによって、カバー体１１ｂをボディ体１１ａ側に位置決めして固定することができる。すなわち、器体１１は、ボディ体１１ａとカバー体１１ｂとを嵌め合わせて構成している。カバー体１１ｂは、短手方向における側壁１１ｂｂに、側壁１１ｂｂから突出する取付爪１１ｂｄを備えている。カバー体１１ｂは、取付枠１７の器具取付孔１７ａｂと、取付爪１１ｂｄとを係合可能としている。
【００３８】
カバー体１１ｂは、カバー体１１ｂの側壁１１ｂｂに、一対の取付爪１１ｂｄ，１１ｂｄが突設された部位の両側部に２本の切込溝１１ｂｇ，１１ｂｇが厚み方向に沿って設けている。カバー体１１ｂは、一対の取付爪１１ｂｄ，１１ｂｄの間の部位に、厚み方向に可撓性を有する撓み片１１ｂｅを設けている。カバー体１１ｂは、撓み片１１ｂｅをカバー体１１ｂの内側に撓ませることが可能に構成している。
【００３９】
取付枠１７は、取付枠１７を構成する側片１７ａに配線器具を取り付け可能な器具取付孔１７ａｂを備えている。取付枠１７は、カバー体１１ｂの取付爪１１ｂｄを器具取付孔１７ａｂに係合させることにより、器体１１を取付枠１７に保持することができる。器体１１は、器体１１を取付枠１７に取り付ける際、たとえば、カバー体１１ｂの一方の側壁１１ｂｂの取付爪１１ｂｄを、取付枠１７の一方の器具取付孔１７ａｂに挿入する。なお、取付枠１７は、図４に示した枠状の金属体を用いた構成のものだけでなく、器体１１を取り付けることができるものであれば、種々の構成のものを用いることができる。次に、器体１１は、他方の側壁１１ｂｂの取付爪１１ｂｄを、カバー体１１ｂの内側に撓むようにして、取付枠１７の窓孔１７ａａにカバー体１１ｂを挿入する。器体１１は、取付枠１７に埋め込まれるように挿入した後、カバー体１１ｂの他方の側壁１１ｂｂの取付爪１１ｂｄを、取付枠１７の他方の器具取付孔１７ａｂに挿入する。器体１１は、取付爪１１ｂｄが器具取付孔１７ａｂに挿入されることにより、器体１１が取付枠１７に保持される。また、器体１１は、器体１１を取付枠１７から取り外す場合、撓み片１１ｂｅをカバー体１１ｂの内側に押し込むようにする。器体１１は、撓み片１１ｂｅの撓みにより、取付爪１１ｂｄが器具取付孔１７ａｂから抜けて取付枠１７から器体１１を取り外すことができる。
【００４０】
なお、取付枠１７は、取付枠１７を構成する枠片１７ｂに、固定螺子１８を挿通するための長孔１７ａｃを備えている。取付枠１７は、それぞれの長孔１７ａｃに挿通された固定螺子１８が、たとえば、施工面に埋設された埋込ボックス（図示していない）のねじ部に螺合されることにより、取付枠１７を施工面側に固定することができる。取付枠１７は、枠片１７ｂにプレート螺子用のねじ孔１７ａｄを備えている。取付枠１７は、図示していないが、表面側で、矩形枠状のプレート枠（図示していない）とプレート螺子（図示していない）を用いてねじ止めされる。プレート枠は、プレート枠の表面側にプレート９が着脱自在に取着される。プレート９は、矩形板状に形成している。プレート９は、合成樹脂により形成することができる。
【００４１】
プレート９は、取付枠１７の窓孔１７ａａよりも長寸かつ幅広の窓孔９ａａを備えている。同様に、プレート枠は、取付枠１７の窓孔１７ａａよりも長寸かつ幅広の孔を備えている。熱線センサ付自動スイッチ１０は、第１操作スイッチ２ａが、手動操作部２ａ１を備えている。手動操作部２ａ１は、プレート９の表面９ａｂと略同一面となる蓋部２ｇを備えている（図１、図３、図４および図５を参照）。手動操作部２ａ１は、プレート９の枠内に、設定操作部７を覆う蓋部２ｇを配置している。手動操作部２ａ１は、蓋部２ｇを取り外し可能に保持するハンドル部２ｆを備えている（図４、図５、図１１および図１２を参照）。熱線センサ付自動スイッチ１０は、プレート９の表面９ａｂから手動操作部２ａ１の蓋部２ｇを取り外すことで、設定操作部７が外部に露出するように、ハンドル部２ｆに開口部２ｆ１を形成している（図５および図１２を参照）。手動操作部２ａ１は、蓋部２ｇの四隅に爪部位２ｇ３を備えている（図１３を参照）。手動操作部２ａ１は、蓋部２ｇの爪部位２ｇ３と対応するハンドル部２ｆの位置に係止孔２ｆ２を備えている（図５、図１０、図１１および図１２を参照）。手動操作部２ａ１は、蓋部２ｇの爪部位２ｇ３を、ハンドル部２ｆの係止孔２ｆ２に着脱自在に係止可能に構成している。
【００４２】
カバー体１１ｂは、カバー体１１ｂの上側（図４の紙面の上側）において、平面視が円形状の窓孔１１ｂｈ，１１ｂｉを備えている。カバー体１１ｂは、カバー体１１ｂの中央部において、カバー体１１ｂの短手方向に沿って、平面視が矩形状の窓孔１１ｂｊを３個備えている。カバー体１１ｂは、カバー体１１ｂの下側（図４の紙面の下側）において、カバー体１１ｂの表面１１ｂｐ側に突出する突台部１１ｂｋを備えている。カバー体１１ｂは、突台部１１ｂｋに開口１１ｂｍを備えている。
【００４３】
さらに、カバー体１１ｂは、手動操作部２ａ１のハンドル部２ｆを枢着するため、平面視において、カバー体１１ｂの表面１１ｂｐの一方の側壁側（図４の紙面の左側）に突出した軸部１１ｂｎを備えている。軸部１１ｂｎは、カバー体１１ｂの長手方向に沿って円柱状に形成している。カバー体１１ｂは、カバー体１１ｂの軸部１１ｂｎが金属製の板ばね２ｄにより手動操作部２ａ１のハンドル部２ｆ側に押し圧される（図８および図９を参照）。言い換えれば、手動操作部２ａ１は、手動操作部２ａ１のハンドル部２ｆと板ばね２ｄとでカバー体１１ｂの軸部１１ｂｎを狭持して、カバー体１１ｂ側に保持されている。また、カバー体１１ｂは、平面視において、カバー体１１ｂの表面１１ｂｐの中央部で端部が保持され、他端側（図４の右側）の先端がＴ字状となるように周部が切り欠かれた撓み部１１ｂｒを備えている（図４および図１４を参照）。撓み部１１ｂｒは、ハンドル部２ｆからの押し圧により、器体１１の内部に撓むように構成している。
【００４４】
第１操作スイッチ２ａは、手動にて押される手動操作部２ａ１を備えている。第１操作スイッチ２ａは、手動操作部２ａ１のハンドル部２ｆの一端部が器体１１側に支持され他端部が揺動自在に押操作可能なピアノハンドルとなっている。すなわち、第１操作スイッチ２ａは、ピアノハンドル式のスイッチを構成している。ピアノハンドル式のスイッチは、スイッチ本体２ａａの前面側に取り付けられたピアノハンドルを、ピアノハンドルの一方の側端部を支点にして他方側が押圧回動されることにより、ピアノハンドルでスイッチ本体２ａａのスイッチ機構を押圧作動可能なものである。ピアノハンドル式のスイッチは、ピアノハンドルのピアノタッチ操作でスイッチ操作を行うことができる。
【００４５】
手動操作部２ａ１は、カバー体１１ｂの表面１１ｂｐに設けられ操作子２ａｃと対向する部位に設けられたＴ字状の撓み部１１ｂｒと当接可能に構成している（図７を参照）。手動操作部２ａ１は、器体１１側に支持された状態で、手動操作部２ａ１の背面側が撓み部１１ｂｒと当接可能としている（図８を参照）。熱線センサ付自動スイッチ１０は、手動操作部２ａ１が押操作されるとカバー体１１ｂ側に押される。熱線センサ付自動スイッチ１０は、手動操作部２ａ１への押操作により、撓み部１１ｂｒを介して、器体１１の内部の操作子２ａｃが押される。熱線センサ付自動スイッチ１０は、操作子２ａｃが押されると第１操作スイッチ２ａがオンとなる。第１操作スイッチ２ａは、たとえば、スイッチ本体２ａａの操作子２ａが押される度にオンとオフとが反転する位置保持型スイッチを用いることができる。位置保持型スイッチは、プッシュロックスイッチやプッシュオン／プッシュオフ・スイッチなどを用いることができる。熱線センサ付自動スイッチ１０は、押圧する力が手動操作部２ａ１からなくなると、手動操作部２ａ１が操作子２ａｃの反力などを受けて元の位置に復帰する構成とすることができる。熱線センサ付自動スイッチ１０は、手動操作部２ａ１が元の位置に復帰すると、第１操作スイッチ２ａがオフとなる。
【００４６】
本実施形態の熱線センサ付自動スイッチ１０では、正面視が長方形状の手動操作部２ａ１において、手動操作部２ａ１の短手方向の中央部に複数個（ここでは、３個）の導光部材６ａａが背面側に突出している（図１０および図１３を参照）。手動操作部２ａ１の蓋部２ｇは、押し圧操作される一表面２ａｂ側に設けられた矩形平板状の表板２ｇ１と、カバー体１１ｂ側に設けられた裏板２ｇ２とを備えている（図１３を参照）。表板２ｇ１は、透光性を有しカバー体１１ｂ側に突出する導光部材６ａａと一体的に形成している。手動操作部２ａ１は、熱線センサ部１の突出部位１１ｋｂと重なるように設けられた取手部２ａ２を備えている。取手部２ａ２は、指を引き掛けて蓋部２ｇの取り外しを行い易いように引掛凹所２ａ３を設けている（図１を参照）。手動操作部２ａ１は、手動操作部２ａ１の蓋部２ｇから突出する導光部材６ａａが嵌め込まれる透孔２ｃａを手動操作部２ａ１のハンドル部２ｆに備えている（図５を参照）。熱線センサ付自動スイッチ１０は、手動操作部２ａ１から突出する導光部材６ａａを、カバー体１１ｂの窓孔１１ｂｊに挿脱可能に構成している。導光部材６ａａは、透孔２ｃａに嵌め込んだ状態で手動操作部２ａ１の背面側に取着される。導光部材６ａａは、透光性を有する合成樹脂で形成することができる。熱線センサ付自動スイッチ１０は、器体１１内に設けた発光ダイオード６ａからの照射光を手動操作部２ａ１に保持された導光部材６ａａを介して、外部に出射することができる。
【００４７】
発光ダイオード６ａは、たとえば、色や点灯状態によって、熱線センサ付自動スイッチ１０のモードを表示可能なモード表示部６を構成するものである。熱線センサ付自動スイッチ１０では、照明負荷Ｌを連続的に点灯させる連続点灯モードで駆動させることができる。また、熱線センサ付自動スイッチ１０では、熱線センサ部１からのセンサ信号に応じて照明負荷Ｌを点灯状態にさせ所定の点灯保持時間の経過後に消灯状態にする自動点灯消灯モードで駆動させることができる。さらに、熱線センサ付自動スイッチ１０では、照明負荷Ｌを消灯する強制消灯モードで駆動させることができる。熱線センサ付自動スイッチ１０では、制御部４は、手動操作部２ａ１への押操作により、連続点灯モードと、自動点灯消灯モードと、強制消灯モードとを切り替える。制御部４は、切り替えられた各モードを手動操作部２ａ１に設けたモード表示部６に表示することができる。
【００４８】
制御部４は、複数個の発光ダイオード６ａと各別に電気的に接続している。制御部４は、複数個の発光ダイオード６ａの点灯を各モードそれぞれに対応して各別に制御する。モード表示部６は、各モードそれぞれに対応する発光ダイオード６ａからの発光で各モードを各別に表示することができる。より具体的には、熱線センサ付自動スイッチ１０は、照明負荷Ｌへの給電を止め照明負荷Ｌを消灯する強制消灯モードの場合、たとえば、３つの発光ダイオード６ａのうち、短手方向の一方側（図３の紙面の左側）に設けた発光ダイオード６ａが点灯する。熱線センサ付自動スイッチ１０は、たとえば、３つの発光ダイオード６ａのうち、短手方向の一方側に設けた発光ダイオード６ａを赤色に点灯させればよい。熱線センサ付自動スイッチ１０は、自動点灯消灯モードの場合、たとえば、短手方向の中央部に設けた発光ダイオード６ａが点灯する。熱線センサ付自動スイッチ１０は、たとえば、３つの発光ダイオード６ａのうち、短手方向の中央部に設けた発光ダイオード６ａを緑色に点灯させればよい。熱線センサ付自動スイッチ１０は、所定の点灯保持時間の間、中央部に設けた発光ダイオード６ａを緑色に点滅させてもよい。熱線センサ付自動スイッチ１０は、所定の点灯保持時間の残存時間が少なくなるにつれ、中央部に設けた発光ダイオード６ａの点滅間隔を短くさせてもよい。熱線センサ付自動スイッチ１０は、照明負荷Ｌを連続的に点灯させる連続点灯モードの場合、たとえば、３つの発光ダイオード６ａのうち、短手方向の他方側（図３の紙面の右側）に設けた発光ダイオード６ａが点灯する。熱線センサ付自動スイッチ１０は、たとえば、３つの発光ダイオード６ａのうち、短手方向の他方側の発光ダイオード６ａを青色に点灯させればよい。
【００４９】
熱線センサ付自動スイッチ１０は、器体１１の表面１１ｂｐ側に化粧プレートとなる枠状のプレート９を取り付けている。熱線センサ付自動スイッチ１０は、プレート９の枠内の窓孔９ａａに第１操作スイッチ２ａの手動操作部２ａ１を配置している。また、熱線センサ付自動スイッチ１０は、手動操作部２ａ１の下側（図３の紙面の下側）に化粧カバー１ｄを備えている。化粧カバー１ｄは、カバー体１１ｂの開口１１ｂｍに対向する位置に開口部位１ｄｂを備えている。化粧カバー１ｄは、開口部位１ｄｂに突台部１１ｂｋを挿通している。化粧カバー１ｄは、手動操作部２ａ１の一表面２ａｂおよびプレート９の表面９ａｂよりも突出するように突出部位１１ｋｂを備えている。突出部位１１ｋｂは、突台部１１ｂｋを保護するように、円弧状の形状をしている。
【００５０】
熱線センサ部１は、たとえば、焦電素子などのセンサ素子１ａを備え、予め設定された検知エリア内に存在する人体からの熱線を検出可能ものである。熱線センサ部１のセンサ素子１ａは、回路部１６の第１の回路基板１６ａに実装することができる。
【００５１】
熱線センサ付自動スイッチ１０は、センサ素子１ａをセンサカバー１ａａで覆っている。センサカバー１ａａは、外形が半円筒状としている。熱線センサ部１は、人体から発せられる熱線を、センサカバー１ａａを介してセンサ素子１ａが検出する。センサカバー１ａａは、赤外線を集光するフレネルレンズを構成してもよい。熱線センサ付自動スイッチ１０は、器体１１のカバー体１１ｂと回路部１６との間で、センサカバー１ａａを挟持し器体１１の内部に収納している。
【００５２】
熱線センサ付自動スイッチ１０は、器体１１のカバー体１１ｂとセンサカバー１ａａとの間に一対のシャッター１ｂ，１ｂを備えている。各シャッター１ｂは、外形が弧状の基部１ｂａと、基部１ｂａの一端から立設する取手部位１ｂｂとを一体に備えている。各シャッター１ｂは、センサカバー１ａａの表面に沿って可動自在に構成している。各シャッター１ｂは、センサカバー１ａａの一部を覆うことができる。各シャッター１ｂは、取手部位１ｂｂを操作することによって、基部１ｂａを移動させることができる。熱線センサ部１は、各シャッター１ｂの基部１ｂａを移動させることにより、熱線センサ部１が人体を検出する検出領域を調整することができる。熱線センサ付自動スイッチ１０は、熱線センサ部１の検出領域を調整して、人体の検知エリアの最適化を行うことが可能となる。
【００５３】
第１の回路基板１６ａは、複数個（ここでは、３個）の発光ダイオード６ａを実装している。モード表示部６は、発光ダイオード６ａからの発光を外部に放出させる導光部材６ａａを備えている。導光部材６ａａは、手動操作部２ａ１の透孔２ｃａに嵌め込まれている。手動操作部２ａ１は、手動操作部２ａ１の一表面２ａｂとプレート９の表面９ａｂとを面一として器体１１の表面１１ｂｐに露出する設定操作部７を覆っている。導光部材６ａａは、手動操作部２ａ１が器体１１の設定操作部７を覆った状態で、器体１１側の発光ダイオード６ａと対応するように配置している。
【００５４】
熱線センサ付自動スイッチ１０は、第１の回路基板１６ａに信号受信部３を構成する電子部品を実装している。また、第１の回路基板１６ａは、制御部４を構成するため電子部品を実装している。さらに、第１の回路基板１６ａは、ヒューズ、異常発熱抑制のための温度ヒューズや漏電防止用のリレーなどの各種の電子部品を実装してもよい。第１の回路基板１６ａは、開閉器５として、主スイッチ素子を構成する開閉素子５ａと、開閉素子５ａの駆動を制御する開閉駆動部５ｂとを実装している。第１の回路基板１６ａは、直流安定化電源４ｃを実装することができる。また、第１の回路基板１６ａは、発光ダイオード６ａ、コンデンサ、抵抗やリレーなどの電子部品を実装している。第１の回路基板１６ａには、図示していない配線パターンを形成しており、各種の電子部品と電気的に接続できるように構成している。発光ダイオード６ａは、たとえば、赤色発光、緑色発光、青色発光の点灯や点滅の区別により、連続点灯モード、自動点灯消灯モード、強制消灯モードをモード表示部６で表示することができる。また、発光ダイオード６ａは、熱線センサ付自動スイッチシステム３０における信号受信部３の受信状態などを表示することもできる。
【００５５】
回路部１６は、手動操作部２ａ１で押駆動される操作子２ａｃを有する第１操作スイッチ２ａのスイッチ本体２ａａを、第１の回路基板１６ａに実装している。回路部１６は、照明負荷Ｌの点灯保持時間を設定するための点灯保持時間設定部７ａを構成するボリュームなどを、第１の回路基板１６ａに実装している。回路部１６は、明るさセンサ１ｓが検知する明るさの程度を設定するための明るさセンサ調整部７ｂを構成するロータリボリュームなどを、第１の回路基板１６ａに実装している。熱線センサ付自動スイッチ１０は、回路部１６を器体１１に収納している。
【００５６】
熱線センサ付自動スイッチ１０は、手動操作部２ａ１の押圧により、器体１１の内部側に撓んだ撓み部１１ｂｒがスイッチ本体２ａａの操作子２ａｃを押駆動する。
【００５７】
点灯保持時間設定部７ａは、たとえば、ボリュームの操作軸を回動できるようにツマミ７ａ１を備えている。点灯保持時間設定部７ａは、器体１１の窓孔１１ｂｈを介して、点灯保持時間設定部７ａのツマミ７ａ１を器体１１の表面１１ｂｐ側に突出させている。点灯保持時間設定部７ａは、自動点灯消灯モードにおいて、照明負荷Ｌを点灯させる点灯保持時間を設定可能なものである。熱線センサ付自動スイッチ１０は、プレート９の表面９ａｂと略同一面に設置された手動操作部２ａ１を取り外すと、設定操作部７が露出する。
【００５８】
熱線センサ付自動スイッチ１０は、たとえば、１０秒から３０分までの範囲で点灯保持時間を適宜に設定することができる。熱線センサ付自動スイッチ１０は、点灯保持時間設定部７ａにより、照明負荷Ｌの点灯保持時間を適宜に調整することが可能となる。明るさセンサ調整部７ｂは、たとえば、ロータリボリュームの操作軸を回動できるようにツマミ７ｂ１を備えている。明るさセンサ調整部７ｂは、器体１１の窓孔１１ｂｉを介して、明るさセンサ調整部７ｂのツマミ７ｂ１を器体１１の表面１１ｂｐ側に突出させている。明るさセンサ調整部７ｂは、たとえば、明るさセンサ１ｓの明るさ検知レベルを「暗め」（たとえば、５ｌｘ以下）から「明るめ」（たとえば、１００ｌｘ以上）までの範囲で設定することができる。熱線センサ付自動スイッチ１０は、たとえば、明るさセンサ調整部７ｂを「切」に設定すると、明るさセンサ１ｓの機能を停止させることができる。熱線センサ付自動スイッチ１０は、明るさセンサ調整部７ｂを「切」に設定した場合、熱線センサ付自動スイッチ１０の周囲が明るいときに宅内の照明負荷Ｌを点灯させることを防止することが可能となる。熱線センサ付自動スイッチ１０は、周囲が明るいときに宅内の照明負荷Ｌを点灯させることを防止し、省エネルギ化を図ることが可能となる。
【００５９】
熱線センサ付自動スイッチ１０は、たとえば、明るさセンサ調整部７ｂで、明るさのしきい値を調整することにより、結果として、熱線センサ部１が人の存在の有無を検知する検出感度が設定されたのと同様の効果を得ることができる。すなわち、熱線センサ付自動スイッチ１０では、明るさセンサ調整部７ｂは、熱線センサ部１の検出感度を設定する設定操作部７を構成する。なお、熱線センサ付自動スイッチ１０は、熱線センサ部１の検出感度を直接的に調整して設定する設定操作部７を備えていてもよい。
【００６０】
次に、本実施形態の熱線センサ付自動スイッチ１０の動作について、図１５を用いて詳述する。
【００６１】
熱線センサ付自動スイッチ１０は、自動点灯消灯モードの場合、熱線センサ部１が熱線の変化を時刻ｔ１で検出すると、熱線センサ部１がセンサ信号を出力する。熱線センサ付自動スイッチ１０は、自動点灯消灯モードの場合、モード表示部６において、「自動」を表示させている。熱線センサ付自動スイッチ１０は、熱線センサ部１からのセンサ信号に基づいて、制御部４が開閉器５を制御させて照明負荷Ｌを点灯状態にさせる。熱線センサ付自動スイッチ１０では、制御部４のタイマ部が熱線センサ部１からのセンサ信号を受信してから所定の時間（図１５の時刻ｔ１から時刻ｔ２を参照）が経過するまでカウンタの値を徐々に少なくする。熱線センサ付自動スイッチ１０は、タイマ部のカウンタの値が「０」になる時刻ｔ２後、制御部４が開閉器５を制御させて照明負荷Ｌを消灯状態にする。言い換えれば、熱線センサ付自動スイッチ１０は、予め設定した点灯保持時間が経過するまで、照明負荷Ｌを点灯させる。
【００６２】
次に、熱線センサ付自動スイッチ１０では、自動点灯消灯モードの場合、時刻ｔ１と同様に、熱線センサ部１が熱線の変化を時刻ｔ３で検出すると、熱線センサ部１がセンサ信号を出力する。熱線センサ付自動スイッチ１０は、熱線センサ部１からのセンサ信号に基づいて、制御部４が開閉器５を制御させて照明負荷Ｌを点灯状態にさせる。熱線センサ付自動スイッチ１０は、自動点灯消灯モードの場合、照明負荷Ｌが点灯状態において、操作子器２０から照明負荷Ｌを消灯させる信号を時刻ｔ４で信号受信部３が受信すると、照明負荷Ｌを点灯する点灯保持時間を短縮する。熱線センサ付自動スイッチ１０は、熱線センサ部１からのセンサ信号により制御部４が照明負荷Ｌを点灯状態にする時刻ｔ３からタイマ部のカウンタの値が「０」になる時刻ｔ５よりも前の時刻ｔ４で、制御部４が開閉器５を制御させて照明負荷Ｌを消灯状態にする。すなわち、熱線センサ付自動スイッチ１０は、時刻ｔ３から時刻ｔ５までの点灯保持時間を、時刻ｔ３から時刻ｔ４までに短縮している。熱線センサ付自動スイッチ１０は、操作子器２０から照明負荷Ｌを消灯させる信号を信号受信部３が受信すると、マスク期間Ｍの間、熱線センサ部１からのセンサ信号による照明負荷Ｌの点灯を所定の期間の間、禁止し照明負荷Ｌの消灯状態を維持する。熱線センサ付自動スイッチ１０は、たとえば、照明負荷Ｌを消灯状態にした時刻ｔ４から時刻ｔ７までのマスク期間Ｍ中において、時刻ｔ６で熱線センサ部１からセンサ信号を制御部４が受けても照明負荷Ｌの消灯状態を継続させる。熱線センサ付自動スイッチ１０では、消灯状態を継続させる場合、たとえば、モード表示部６において、「切」を表示させることができる。熱線センサ付自動スイッチ１０は、時刻ｔ７でマスク期間Ｍの経過後、熱線センサ部１からのセンサ信号に応じて照明負荷Ｌを点灯可能なように自動点灯消灯モードに復帰する。熱線センサ付自動スイッチ１０では、自動点灯消灯モードに復帰に伴い、モード表示部６において、再び「自動」を表示させることができる。
【００６３】
なお、熱線センサ付自動スイッチ１０は、第１操作スイッチ２ａが操作される度に、連続点灯モードと、自動点灯消灯モードと、強制消灯モードとを切り替える。モード表示部６は、連続点灯モードで「連続入」を表示する。モード表示部６は、自動点灯消灯モードで「自動」を表示する。モード表示部６は、強制消灯モードで「切」を表示する。熱線センサ付自動スイッチ１０では、動作モードの切り替えに応じて、「切」、「自動」、「連続入」の順で各モードを遷移させることを繰り返している。
【００６４】
熱線センサ付自動スイッチシステム３０は、たとえば、熱線センサ部１の検知エリア内に操作子器２０が設けられていても、操作子器２０を人が操作して照明負荷Ｌを消すことができる。また、熱線センサ付自動スイッチシステム３０は、自動点灯消灯モードにおいて、照明負荷Ｌを点灯する点灯保持時間を短縮する。熱線センサ付自動スイッチシステム３０は、熱線センサ部１が操作子器２０を操作する人を検知して照明負荷Ｌを点灯することなく、省エネルギ化を図ることが可能となる。
【００６５】
操作子器２０は、熱線センサ付自動スイッチ１０を操作可能なものである。操作子器２０は、熱線センサ付自動スイッチ１０を制御する信号を送信して熱線センサ付自動スイッチ１０を操作する。操作子器２０は、熱線センサ付自動スイッチ１０を制御する信号を送信できればよく、手動にて操作された第２操作スイッチ２２ａのオン／オフ操作を判別する第２入力判別部２２と、第２入力判別部２２からの操作信号に基づいて信号送信部２３を制御する子器制御部２４とを備えて構成することができる。操作子器２０は、第２入力判別部２２からの操作信号に基づいて、熱線センサ付自動スイッチ１０へ信号を送信する信号送信部２３を制御する子器制御部２４を備えていてもよい。操作子器２０は、有線で信号を熱線センサ付自動スイッチ１０へ送信するものでもよいし、無線で信号を熱線センサ付自動スイッチ１０へ送信するものでもよい。熱線センサ付自動スイッチシステム３０では、たとえば、熱線センサ付自動スイッチ１０から離れた人が操作子器２０を操作することで、照明負荷Ｌ側への給電および給電の停止を行うことができる。熱線センサ付自動スイッチ１０は、たとえば、内部の信号受信部３が操作子器２０からの信号を受信し、制御部４が、操作子器２０からの信号に基づき照明負荷Ｌ側への給電と給電の停止とを切替える。
【００６６】
以下、本実施形態の熱線センサ付自動スイッチ１０に用いられる各構成について、より詳細に説明する。
【００６７】
熱線センサ部１は、人体の存在の有無を検知可能なものである。熱線センサ付自動スイッチ１０は、照明負荷Ｌへの給電と給電の停止とを人体の存在の有無で行うため、人感センサなどの熱線センサ部１を備えている。熱線センサ部１は、たとえば、人体からの熱線として、赤外線エネルギを検出することにより人体の存在を検知する赤外線センサを用いることができる。赤外線センサは、たとえば、焦電素子などのセンサ素子１ａを備えた構成とすればよい。熱線センサ部１は、たとえば、ＣｄＳやフォトダイオードなどの明るさセンサ１ｓと一体に構成し、明るさセンサ１ｓによって周囲の明るさを識別可能に構成してもよい。熱線センサ部１は、回路部１６の第１の回路基板１６ａに、センサ素子１ａを実装することができる。熱線センサ部１は、視野角を確保するために第１操作スイッチ２ａの正面よりも突出した突出部位１１ｋｂを備えている。突出部位１１ｋｂは、カバー体１１ｂの表面１１ｂｐ側に突出する突台部１１ｂｋを覆っている。
【００６８】
第１入力判別部２は、第１操作スイッチ２ａからの信号が入力されるものである。第１操作スイッチ２ａは、手動にて押すことにより、スイッチ動作を行うことが可能なものである。第１入力判別部２は、第１操作スイッチ２ａからの信号が入力される。第１入力判別部２は、第１操作スイッチ２ａのスイッチ動作により、オン／オフ操作を判断可能なものである。第１操作スイッチ２ａは、手動にて押される手動操作部２ａ１を備えている。操作スイッチ２ａは、手動操作部２ａ１の一端部が器体１１側に支持され他端部が揺動自在に押操作可能なピアノハンドルとしている。
【００６９】
手動操作部２ａ１は、手動にて押される操作スイッチ２ａの一部を構成している。手動操作部２ａ１は、蓋部２ｇ、ハンドル部２ｆ、カバー体１１ｂを用いて構成することができる。蓋部２ｇは、押し圧操作される一表面２ａｂ側に設けられた表板２ｇ１と、カバー体１１ｂ側に設けられた裏板２ｇ２とを備えて構成することができる。表板２ｇ１は、透光性を有しカバー体１１ｂ側に突出する導光部材６ａａと一体的に形成することができる。
手動操作部２ａ１は、モード表示部６を構成する導光部材６ａａと表板２ｇ１とを一体的に形成するものだけに限られず、別体として形成してもよい。手動操作部２ａ１は、熱線センサ部１の突出部位１１ｋｂと重なるように設けられた取手部２ａ２を備えている。取手部２ａ２は、指を引き掛けて蓋部２ｇの取り外しを行い易いように引掛凹所２ａ３を設けている。
【００７０】
制御部４は、少なくとも熱線センサ部１からのセンサ信号と、第１入力判別部２からの判別信号とに基づいて照明負荷Ｌの点灯／消灯を判断可能なものである。制御部４は、給電側と照明負荷Ｌ側との間の電気的な接続と電気的な接続解除とを行うように制御する。制御部４は、相補的な２個のサイリスタを逆並列に接続する双方向サイリスタなどの半導体スイッチ素子の導通および非導通を制御する機能を有している。また、制御部４は、手動操作部２ａ１への押操作により、熱線センサ付自動スイッチ１０において、連続点灯モードと、自動点灯消灯モードと、強制消灯モードとの各モードを切り替え、モード表示部６の各発光ダイオード６ａを点灯制御可能なものである。制御部４は、たとえば、ＣＰＵ（CentralProcessing Unit）を備えたマイクロコンピュータなどを用いて構成することができる。
【００７１】
開閉器５は、制御部４からの制御信号に基づいて照明負荷Ｌを点灯または消灯可能なものである。開閉器５は、商用電源ＡＣを接続する電源端子１１ｃ１と、照明負荷Ｌを接続する負荷端子１１ｃ４との間に電気的に接続している。開閉器５は、半導体スイッチ素子を主スイッチ素子とする電子スイッチの他、可動接点および固定接点を備えた機械スイッチなどであってもよい。
【００７２】
設定操作部７は、熱線センサ部１の検出感度を設定可能なものである。設定操作部７は、熱線センサ部１の検出感度を設定するものだけに限れない。設定操作部７は、自動点灯消灯モードにおける点灯保持時間を設定する操作部を備えていてもよい。また、設定操作部７は、操作子器２０からの信号を受信して短縮する点灯保持時間の長さを適宜に調整するため、自動点灯消灯モードにおけるマスク期間Ｍを設定する操作部を備えていてもよい。
【００７３】
プレート９は、器体１１の表面側に設けられプレート９の枠内に、手動にて押される手動操作部２ａ１を配置可能なものである。プレート９は、プレート９の枠内に、手動にて押される手動操作部２ａ１を配置可能であればよく、必ずしも外形が矩形状のものだけに限られない。プレート９は、たとえば、電気絶縁性の樹脂材料により形成することができる。
【００７４】
器体１１は、熱線センサ部１、入力判別部２、制御部４や開閉器５を収納可能なものである。器体１１は、熱線センサ部１、入力判別部２、制御部４や開閉器５を収納可能であればよく、種々の形状に形成することができる。また、器体１１は、種々の材料によって形成することができ、たとえば、電気絶縁性の樹脂材料として、ユリア樹脂などを用いて形成することもできる。
【符号の説明】
【００７５】
Ｌ  照明負荷
１  熱線センサ部
２  入力判別部
２ａ  操作スイッチ
２ａ１  手動操作部
２ａ２  取手部
２ａｂ  一表面
４  制御部
５  開閉器
７  設定操作部
９  プレート
９ａｂ  表面
１０  熱線センサ付自動スイッチ
１１  器体
１１ｋｂ  突出部位
【図１】
2014235980.tif 000003
【図２】
2014235980.tif 000004
【図３】
2014235980.tif 000005
【図４】
2014235980.tif 000006
【図５】
2014235980.tif 000007
【図６】
2014235980.tif 000008
【図７】
2014235980.tif 000009
【図８】
2014235980.tif 000010
【図９】
2014235980.tif 000011
【図１０】
2014235980.tif 000012
【図１１】
2014235980.tif 000013
【図１２】
2014235980.tif 000014
【図１３】
2014235980.tif 000015
【図１４】
2014235980.tif 000016
【図１５】
2014235980.tif 000017
【図１６】
2014235980.tif 000018
【図１７】
2014235980.tif 000019